(57)【特許請求の範囲】
【請求項１】
ＩＰネットワークにおいてデータを中継し、複数の種別の中継装置によって冗長構成をとる中継システムの通信を制御する通信制御システムであって、
複数の種別の中継装置を介して、加入者端末への呼の接続ルートを設定する接続ルート設定装置と、
前記中継装置の電源のオンおよびオフを制御する電源制御装置と、
を備え、
前記接続ルート設定装置は、
所定の時間単位と、前記中継装置の種別と、前記中継装置の識別子と、当該時間単位における当該中継装置におけるトラフィックの予想情報とを対応づけたトラフィックデータを記憶する記憶装置と、
前記記憶装置からトラフィックデータを読み出し、前記中継装置の種別ごと、かつ前記時間単位ごとに、処理するべきトラフィック量を算出し、算出したトラフィック量から、前記中継装置の種別ごとに稼働すべき中継装置の数を算出するとともに、
前記時間単位ごとに、前記中継装置の種別ごとに稼働すべき中継装置の数で、全ての加入者端末にデータを転送可能な接続ルートであって、前記中継装置が設けられたエリアの運用に必要な設備装置が稼働する数を減らし、稼働すべき中継装置の消費電力と前記設備装置の消費電力との和が最小となる接続ルートを算出して、
前記時間単位ごとに、稼働する中継装置の情報である稼働装置スケジュールデータを出力する接続スケジュール算出手段と、
前記稼働装置スケジュールデータを、前記電源制御装置に出力するスケジュール出力手段を備え、
前記電源制御装置は、
前記稼働装置スケジュールデータに従って、前記中継装置および前記設備装置の電力供給をオンまたはオフする電源制御手段
を備える
ことを特徴とする通信制御システム。
【請求項２】
呼を処理する前記中継装置を決定する負荷分散装置をさらに備え、
前記接続ルート設定装置において、
前記接続スケジュール算出手段は、さらに、前記時間単位ごとの呼の接続ルートの情報である接続ルートスケジュールデータを出力し、
前記スケジュール出力手段は、さらに、前記稼働装置スケジュールデータおよび接続ルートスケジュールデータを、前記負荷分散装置に出力し、
前記負荷分散装置は、
前記接続ルート設定装置から、稼働装置スケジュールデータと、前記接続ルートスケジュールデータとを受信するスケジュール取得手段と、
前記接続ルートスケジュールデータに従って、前記中継装置にルーティイングテーブルの書き換えを指示するルーティングテーブル変更手段と、
前記稼働装置スケジュールデータに従って、稼働する中継装置が切り替わるタイミングで、電源をオフする中継装置の呼を、継続して稼働する中継装置に片寄せする負荷制御手段と、
を備える
ことを特徴とする請求項１に記載の通信制御システム。
【請求項３】
前記負荷制御手段は、
前記接続ルートスケジュールデータにおいて、稼働する中継装置が切り替わるタイミングで、前記電源をオフする中継装置に新たな呼を割り当てず、当該電源をオフする中継装置で通信中の呼を、前記継続して稼働する中継装置に転送する命令を、前記電源をオフする中継装置に出力する
ことを特徴とする請求項２に記載の通信制御システム。
【請求項４】
ＩＰネットワークにおいてデータを中継し、複数の種別の中継装置によって冗長構成をとる中継システムの通信を制御する通信制御システムおいて、複数の種別の中継装置を介して、加入者端末への呼の接続ルートを設定する接続ルート設定装置であって、
所定の時間単位と、前記中継装置の種別と、前記中継装置の識別子と、当該時間単位における当該中継装置におけるトラフィックの予想情報とを対応づけたトラフィックデータを記憶する記憶装置と、
前記記憶装置からトラフィックデータを読み出し、前記中継装置の種別ごと、かつ前記時間単位ごとに、処理するべきトラフィック量を算出し、算出したトラフィック量から、前記中継装置の種別ごとに稼働すべき中継装置の数を算出するとともに、
前記時間単位ごとに、前記中継装置の種別ごとに稼働すべき中継装置の数で、全ての加入者端末にデータを転送可能な接続ルートであって、前記中継装置が設けられたエリアの運用に必要な設備装置が稼働する数を減らし、稼働すべき中継装置の消費電力と前記設備装置の消費電力との和が最小となる接続ルートを算出して、
前記時間単位ごとに、稼働する中継装置の情報である稼働装置スケジュールデータを出力する接続スケジュール算出手段
を備えることを特徴とする接続ルート設定装置。
【請求項５】
ＩＰネットワークにおいてデータを中継し、複数の種別の中継装置によって冗長構成をとる中継システムの通信を制御する通信制御システムにおいて、前記中継装置の電源のオンおよびオフを制御する電源制御装置であって、
電源をオンまたはオフする際の手順を含む手順データを記憶する記憶装置と、
時間単位ごとに、中継装置の種別ごとに稼働すべき中継装置の数で、全ての加入者端末にデータを転送可能な接続ルートであって、前記中継装置が設けられたエリアの運用に必要な設備装置が稼働する数を減らし、稼働すべき中継装置の消費電力と前記設備装置の消費電力との和が最小となる接続ルートに基づいて、時間単位ごとに、稼働する中継装置の情報である稼働装置スケジュールデータを受信する稼働装置スケジュール取得手段と、
前記手順データの手順と、前記稼働装置スケジュールデータに従って、前記中継装置および前記設備装置の電力供給をオンまたはオフする電源制御手段
を備えることを特徴とする電源制御装置。
【請求項６】
ＩＰネットワークにおいてデータを中継し、複数の種別の中継装置によって冗長構成をとる中継システムの通信を制御する通信制御システムにおいて、呼を処理する前記中継装置を決定する負荷分散装置であって、
時間単位ごとに、中継装置の種別ごとに稼働すべき中継装置の数で、全ての加入者端末にデータを転送可能な接続ルートであって、前記中継装置が設けられたエリアの運用に必要な設備装置が稼働する数を減らし、稼働すべき中継装置の消費電力と前設備装置の消費電力との和が最小となる接続ルートに基づいて、時間単位ごとに、稼働する中継装置の情報である稼働装置スケジュールデータを受信するスケジュール取得手段と、
前記稼働装置スケジュールデータに従って、稼働する中継装置が切り替わるタイミングで、電源をオフする中継装置の呼を、継続して稼働する中継装置に片寄せする負荷制御手段
を備えることを特徴とする負荷分散装置。
【請求項７】
ＩＰネットワークにおいてデータを中継し、複数の種別の中継装置によって冗長構成をとる中継システムの通信を制御し、
複数の種別の中継装置を介して、加入者端末への呼の接続ルートを設定する接続ルート設定装置と、前記中継装置の電源のオンおよびオフを制御する電源制御装置とを備える通信制御システムに用いられる通信制御方法であって、
接続ルート設定装置が、所定の時間単位と、前記中継装置の種別と、前記中継装置の識別子と、当該時間単位における当該中継装置におけるトラフィックの予想情報とを対応づけたトラフィックデータからトラフィックデータを読み出し、前記中継装置の種別ごと、かつ前記時間単位ごとに、処理するべきトラフィック量を算出し、算出したトラフィック量から、前記中継装置の種別ごとに稼働すべき中継装置の数を算出するステップと、
前記接続ルート設定装置が、前記時間単位ごとに、前記中継装置の種別ごとに稼働すべき中継装置の数で、全ての加入者端末にデータを転送可能な接続ルートであって、前記中継装置が設けられたエリアの運用に必要な設備装置が稼働する数を減らし、稼働すべき中継装置の消費電力と前記設備装置の消費電力との和が最小となる接続ルートを算出するステップと、
前記接続ルート設定装置が、前記時間単位ごとに、稼働する中継装置の情報である稼働装置スケジュールデータを、電源制御装置に出力するステップと、
前記電源制御装置が、前記稼働装置スケジュールデータに従って、前記中継装置および前記設備装置の電力供給をオンまたはオフするステップ
を備えることを特徴とする通信制御方法。
【発明の詳細な説明】
【技術分野】
【０００１】
本発明は、ＩＰネットワークにおいてデータを中継し、複数の種別の中継装置によって冗長構成をとる中継システムに用いられる通信制御システム、接続ルート設定装置、電源制御装置、負荷分散装置および通信制御方法に関する。
【背景技術】
【０００２】
昨今の情報機器の普及に伴って、ウェブデータ、音声データ、映像データなどの各種のデータを安定して送受信可能な通信ネットワークの重要性が高まっている。通信ネットワークにおけるデータのトラフィック量は、時間帯や日時によって異なることが一般的である。通信ネットワークは、安定したデータの送受信を提供するために、最大値のトラフィック量に対応可能なように、複数のルータやサーバなどを設置する。
【０００３】
通信事業者においては、安定したデータの送受信を実現するため、数台から数千台の中継装置を設ける場合がある。またこれらの装置を安定的に稼働させるために、これらの装置を機械室に設置し、この機械室に空調装置を設ける。これらの中継装置や空調装置は、電力により稼働するので、全ての装置が稼働することにより、膨大な電力を消費することになる。
【先行技術文献】
【非特許文献】
【０００４】
【非特許文献１】日経ＮＥＴＷＯＲＫ、“NGNって何だろう？ ”、［online］、ＩＴｐｒｏ、［平成２３年１２月２０日検索］、インターネット＜URL：http://itpro.nikkeibp.co.jp/article/COLUMN/20070125/259673/＞
【発明の概要】
【発明が解決しようとする課題】
【０００５】
しかしながら、昨今の省エネルギーの傾向に伴って、社会システム全体で、消費電力の低減が期待されている。
【０００６】
従って本発明の目的は、消費電力を低減可能な通信制御システム、接続ルート設定装置、電源制御装置、負荷分散装置および通信制御方法を提供することである。
【課題を解決するための手段】
【０００７】
上記課題を解決するために、本発明の第１の特徴は、ＩＰネットワークにおいてデータを中継し、複数の種別の中継装置によって冗長構成をとる中継システムの通信を制御する通信制御システムに関する。通信制御システムは、複数の種別の中継装置を介して、加入者端末への呼の接続ルートを設定する接続ルート設定装置と、中継装置の電源のオンおよびオフを制御する電源制御装置と、を備える。ここで、接続ルート設定装置は、所定の時間単位と、中継装置の種別と、中継装置の識別子と、当該時間単位における当該中継装置におけるトラフィックの予想情報とを対応づけたトラフィックデータを記憶する記憶装置と、記憶装置からトラフィックデータを読み出し、中継装置の種別ごと、かつ時間単位ごとに、処理するべきトラフィック量を算出し、算出したトラフィック量から、中継装置の種別ごとに稼働すべき中継装置の数を算出するとともに、時間単位ごとに、中継装置の種別ごとに稼働すべき中継装置の数で、全ての加入者端末にデータを転送可能な接続ルートであって、中継装置が設けられたエリアの運用に必要な設備装置が稼働する数を減らし、稼働すべき中継装置の消費電力と設備装置の消費電力との和が最小となる接続ルートを算出して、時間単位ごとに、稼働する中継装置の情報である稼働装置スケジュールデータを出力する接続スケジュール算出手段と、稼働装置スケジュールデータを、電源制御装置に出力するスケジュール出力手段を備える。電源制御装置は、稼働装置スケジュールデータに従って、中継装置および設備装置の電力供給をオンまたはオフする電源制御手段を備える。
【０００８】
通信制御システムは、呼を処理する中継装置を決定する負荷分散装置をさらに備えても良い。接続ルート設定装置において、接続スケジュール算出手段は、さらに、時間単位ごとの呼の接続ルートの情報である接続ルートスケジュールデータを出力し、スケジュール出力手段は、さらに、稼働装置スケジュールデータおよび接続ルートスケジュールデータを、負荷分散装置に出力する。負荷分散装置は、接続ルート設定装置から、稼働装置スケジュールデータと、接続ルートスケジュールデータとを受信するスケジュール取得手段と、接続ルートスケジュールデータに従って、中継装置にルーティイングテーブルの書き換えを指示するルーティングテーブル変更手段と、稼働装置スケジュールデータに従って、稼働する中継装置が切り替わるタイミングで、電源をオフする中継装置の呼を、継続して稼働する中継装置に片寄せする負荷制御手段と、を備える。
【０００９】
負荷制御手段は、接続ルートスケジュールデータにおいて、稼働する中継装置が切り替わるタイミングで、電源をオフする中継装置に新たな呼を割り当てず、当該電源をオフする中継装置で通信中の呼を、継続して稼働する中継装置に転送する命令を、電源をオフする中継装置に出力しても良い。
【００１０】
本発明の第２の特徴は、ＩＰネットワークにおいてデータを中継し、複数の種別の中継装置によって冗長構成をとる中継システムの通信を制御する通信制御システムおいて、複数の種別の中継装置を介して、加入者端末への呼の接続ルートを設定する接続ルート設定装置に関する。本発明の第２の特徴に係る接続ルート設定装置は、所定の時間単位と、中継装置の種別と、中継装置の識別子と、当該時間単位における当該中継装置におけるトラフィックの予想情報とを対応づけたトラフィックデータを記憶する記憶装置と、記憶装置からトラフィックデータを読み出し、中継装置の種別ごと、かつ時間単位ごとに、処理するべきトラフィック量を算出し、算出したトラフィック量から、中継装置の種別ごとに稼働すべき中継装置の数を算出するとともに、時間単位ごとに、前記中継装置の種別ごとに稼働すべき中継装置の数で、全ての加入者端末にデータを転送可能な接続ルートであって、中継装置が設けられたエリアの運用に必要な設備装置が稼働する数を減らし、稼働すべき中継装置の消費電力と設備装置の消費電力との和が最小となる接続ルートを算出して、時間単位ごとに、稼働する中継装置の情報である稼働装置スケジュールデータを出力する接続スケジュール算出手段を備える。
【００１１】
本発明の第３の特徴は、ＩＰネットワークにおいてデータを中継し、複数の種別の中継装置によって冗長構成をとる中継システムの通信を制御する通信制御システムにおいて、中継装置の電源のオンおよびオフを制御する電源制御装置に関する。即ち本発明の第３の特徴に係る電源制御装置は、電源をオンまたはオフする際の手順を含む手順データを記憶する記憶装置と、時間単位ごとに、中継装置の種別ごとに稼働すべき中継装置の数で、全ての加入者端末にデータを転送可能な接続ルートであって、中継装置が設けられたエリアの運用に必要な設備装置が稼働する数を減らし、稼働すべき中継装置の消費電力と設備装置の消費電力との和が最小となる接続ルートに基づいて、時間単位ごとに、稼働する中継装置の情報である稼働装置スケジュールデータを受信する稼働装置スケジュール取得手段と、手順データの手順と、稼働装置スケジュールデータに従って、中継装置および設備装置の電力供給をオンまたはオフする電源制御手段を備える。
【００１２】
本発明の第４の特徴は、ＩＰネットワークにおいてデータを中継し、複数の種別の中継装置によって冗長構成をとる中継システムの通信を制御する通信制御システムにおいて、呼を処理する中継装置を決定する負荷分散装置に関する。即ち本発明の第４の特徴に係る負荷分散装置は、時間単位ごとに、中継装置の種別ごとに稼働すべき中継装置の数で、全ての加入者端末にデータを転送可能な接続ルートであって、中継装置が設けられたエリアの運用に必要な設備装置が稼働する数を減らし、稼働すべき中継装置の消費電力と設備装置の消費電力との和が最小となる接続ルートに基づいて、時間単位ごとに、稼働する中継装置の情報である稼働装置スケジュールデータを受信するスケジュール取得手段と、稼働装置スケジュールデータに従って、稼働する中継装置が切り替わるタイミングで、電源をオフする中継装置の呼を、継続して稼働する中継装置に片寄せする負荷制御手段を備える。
【００１３】
本発明の第５の特徴は、ＩＰネットワークにおいてデータを中継し、複数の種別の中継装置によって冗長構成をとる中継システムの通信を制御し、複数の種別の中継装置を介して、加入者端末への呼の接続ルートを設定する接続ルート設定装置と、中継装置の電源のオンおよびオフを制御する電源制御装置とを備える通信制御システムに用いられる通信制御方法に関する。本発明の第５の特徴に係る通信制御方法は、接続ルート設定装置が、所定の時間単位と、中継装置の種別と、中継装置の識別子と、当該時間単位における当該中継装置におけるトラフィックの予想情報とを対応づけたトラフィックデータからトラフィックデータを読み出し、中継装置の種別ごと、かつ時間単位ごとに、処理するべきトラフィック量を算出し、算出したトラフィック量から、中継装置の種別ごとに稼働すべき中継装置の数を算出するステップと、接続ルート設定装置が、時間単位ごとに、中継装置の種別ごとに稼働すべき中継装置の数で、全ての加入者端末にデータを転送可能な接続ルートであって、中継装置が設けられたエリアの運用に必要な設備装置が稼働する数を減らし、稼働すべき中継装置の消費電力と設備装置の消費電力との和が最小となる接続ルートを算出するステップと、接続ルート設定装置が、時間単位ごとに、稼働する中継装置の情報である稼働装置スケジュールデータを、電源制御装置に出力するステップと、電源制御装置が、稼働装置スケジュールデータに従って、中継装置および設備装置の電力供給をオンまたはオフするステップを備える。
【発明の効果】
【００１４】
本発明によれば、消費電力を低減可能な通信制御システム、接続ルート設定装置、電源制御装置、負荷分散装置および通信制御方法を提供することができる。
【図面の簡単な説明】
【００１５】
【図１】本発明の実施の形態に係る通信制御システムのシステム構成と、接続ルート設定装置、負荷分散装置および電源制御装置の構成を説明する図である。
【図２】本発明の実施の形態に係る通信制御システムが用いる中継システムを説明する図である。
【図３】本発明の実施の形態に係る中継システムにおいて、トラフィック量が多い場合に稼働する中継装置を説明する図である。
【図４】本発明の実施の形態に係る中継システムにおいて、トラフィック量が中程度の場合に稼働する中継装置を説明する図である。
【図５】本発明の実施の形態に係る中継システムにおいて、トラフィック量が少ない場合に稼働する中継装置を説明する図である。
【図６】本発明の実施の形態に係る通信制御システムの処理を説明するシーケンス図である。
【図７】本発明の実施の形態に係る接続ルート設定装置が記憶するトラフィックデータのデータ構造を説明する図である。
【図８】本発明の実施の形態に係る接続ルート設定装置が出力する稼働装置スケジュールデータのデータ構造を説明する図である。
【図９】本発明の実施の形態に係る接続ルート設定装置が、稼働装置スケジュールを算出する際に、トラフィックデータから出力する中間データの一例を説明する図である。
【図１０】本発明の実施の形態に係る接続ルート設定装置が、稼働装置スケジュールを算出する際に参照する、セッションの処理に必要なリソースのデータの一例を説明する図である。
【図１１】本発明の実施の形態に係る接続ルート設定装置が出力するデータの一例であって、中継装置の使用電力を説明する図である。
【図１２】本発明の実施の形態に係る電源制御装置が電源をオンオフする手順の一例を説明する図である。
【発明を実施するための形態】
【００１６】
次に、図面を参照して、本発明の実施の形態を説明する。以下の図面の記載において、同一または類似の部分には同一または類似の符号を付している。
【００１７】
（実施の形態）
本発明の実施の形態に係る通信制御システム７は、中継システム２００に関する消費電力を低減するものである。中継システム２００は、ＩＰネットワークにおいてデータを加入者サービスエッジ（ＳＳＥ：Subscriber Service Edge）に中継し、複数の種別の中継装置によって冗長構成をとる通信システムである。中継システム２００は、種別ごとに複数台の中継装置を備える。中継システム２００は、これら複数種別の中継装置を介して加入者サービスエッジに接続する複数のルートを有する。
【００１８】
従来の回線交換機は、ユーザの収容形態が地域に対応づけられる。このような回線交換機は、一つの回線交換機の電源を落とすと、その回線交換機が収容する地域の全てのユーザの通信が不通となってしまう。そこで従来、全ての回線交換機を稼働して、通信システムを維持していた。
【００１９】
ＩＰネットワークにおいても、加入者サービスエッジは、ユーザの加入者端末を収容するので、常に稼働する必要がある。しかしながら、ユーザのサービスオーダデータは、エリアフリーであり、特定の地域やユーザに紐付いているわけではない。
【００２０】
そこで本発明の実施の形態に係る通信制御システム７は、トラフィックの変化に伴って稼働する中継装置の数を可変にすることで、中継システム２００に関する消費電力を低減する。通信制御システム７は、中継システム２００において、加入者に依存しない冗長構成をとる複数の種別の複数台の中継装置のうち、中継装置の種別毎に、トラフィックの処理に必要な中継装置の台数を決定して、稼働する中継装置を決定する。ここで本発明の実施の形態に係る通信制御システム７は、稼働する中継装置を設置するエリアが少なくなるように考慮する。これにより、空調装置など、その中継装置が設置されるエリアの維持に必要な装置の電力も軽減することができる。
【００２１】
（中継システム）
図１に示すように、本発明の実施の形態に係る通信制御システム７は、中継システム２００に関する消費電力を低減するために、全ての加入者端末で通信可能なように、稼働する中継装置を決定し、通信ネットワークを運用する。
【００２２】
中継システム２００は、複数のエリアに分割され、図１に示す例では、第１のエリア２０１、第２のエリア２０２および第３のエリア２０３を備える。エリアは、中継装置を設置する機械室、複数の機械室を設置するビルなどである。本発明の実施の形態において、エリアは、例えば、空調機器などの、中継装置の運用に必要な設備装置のオンオフにより、省電力の効果を得られる単位である。例えば、機械室に設置した全ての中継装置の電源をオフすることにより、この機械室に設置した設備装置の電源をオフすることができる。また、一つのビルが有する複数の機械室に設置した全ての中継装置の電源をオフすることにより、このビルに設置した設備装置の電源をオフすることができる。このように、本発明の実施の形態のおいて、中継装置の消費電力以外で省電力の効果を得られる単位を、エリアと称する。
【００２３】
ここで図２を参照して中継システム２００を説明する。図２に示す例で中継システム２００は、加入者サービスエッジ３０１および親ルータ１９０間で、データを送受信し、同種の中継装置を複数ずつ備えた冗長構成をとる。図２に示す例の加入者系システムは、複数の加入者サービスエッジ３０１を備え、加入者サービスエッジ３０１は、複数の加入者端末３０２を収容する。本発明の実施の形態において、任意の加入者サービスエッジを、加入者サービスエッジ３０１と表記する。また、任意の加入者端末を、加入者端末３０２と表記する。
【００２４】
加入者サービスエッジ３０１は、加入者端末３０２を収容するエッジルータである。加入者端末３０２は、加入者宅に設置されるＩＰネットワークの端末であって、例えば、電話機、コンピュータなどである。親ルータ１９０は、他の通信事業者のネットワークと接続するためのルータである。本発明の実施の形態において、加入者サービスエッジ３０１を、「ＳＳＥ」と表記し、親ルータ１９０を「ＳＢＣＲ」と表記する場合がある。
【００２５】
本発明の実施の形態において中継システム２００は、加入者サービスエッジ３０１および親ルータ１９０間のシステムである場合を説明するが、この例に限られない。中継システム２００が、所定の通信事業者が提供するＩＰネットワークにおける加入者サービスエッジ以外の全ての中継装置を包含する必要はない。例えば、中継システム２００は、所定の通信事業者が提供するＩＰネットワークのうち、特定の地域に通信を提供するシステムなどの、一部のシステムであっても良い。
【００２６】
中継システム２００は、複数の中継装置を備える。図２に示す例において、中継システム２００の中継装置は、呼制御装置２１１、２１２、２１３、上流側中継ルータ２２１、下流側中継ルータ２３１などである。中継システム２００はさらに、各エリアに、空調装置などの、各中継装置の稼働に必要な設備装置を備える。
【００２７】
中継システム２００は、第１のエリア２０１に、下流側中継ルータ２３１、上流側中継ルータ２２１、呼接続装置２１１、２１２および２１３の、３種類の５つの中継装置を備える。また第１のエリア２０１は、第１のエリア２０１に設置される中継装置を維持するための空調装置２４１を備える。図２に示す例において、この第１のエリア２０１に、下流側中継ルータおよび上流側中継ルータをそれぞれ一つずつ備え、３つの呼接続装置を備え、一つの空調装置を備える場合を説明するが、各装置の数は、これに限られない。
【００２８】
下流側中継ルータ２３１は、中継システム２００において加入者サービスエッジ３０１を収容するルータである。本発明の実施の形態において、下流側中継ルータ２３１を、「ＡＥＲ」と表記する場合がある。
【００２９】
上流側中継ルータ２２１は、下流側中継ルータ２３１と、親ルータ１９０とを接続するとともに、呼接続装置２１１、２１２および２１３と接続する。本発明の実施の形態において、上流側中継ルータ２２１を、「ＢＣＲ」と表記する場合がある。
【００３０】
呼接続装置２１１は、加入者セッション制御サーバおよび中継セッション制御サーバの総称である。加入者セッション制御サーバは、加入者のサービスオーダを管理する。本発明の実施の形態において加入者セッション制御サーバを、「ＳＳＣ」と表記する場合がある。中継セッション制御サーバは、セッションを中継する。本発明の実施の形態において中継セッション制御サーバを、「ＩＳＣ」と表記する場合がある。
【００３１】
このように本発明の実施の形態に係る中継システム２００は、冗長構成をとり、複数の種類の複数の装置を備える。また、第２のエリア２０２および第３のエリア２０３も、第１のエリア２０１と同様である。なお、複数の種別の中継装置が冗長構成をとっていれば、図２に示すような構成でなくても良い。
【００３２】
通信制御システム７は、処理するべきトラフィック量に基づいて、中継システム２００の各中継装置について、稼働するか否かがを予め決定する。例えば、通信制御システム７は、トラフィック量が多い時間帯において、第１のエリア２０１、第２のエリア２０２および第３のエリア２０３の全てのエリアの全ての中継装置を稼働させる。
【００３３】
一方通信制御システム７は、トラフィック量が少ない時間帯において、そのトラフィック量に基づいて、第３のエリア２０３の中継装置のみを稼働しても良いし、第２のエリア２０２および第３のエリアの中継装置のみを稼働しても良い。図２に示す中継システム２００において、下流側中継ルータ２３１、２３２および２３３はそれぞれ、全ての加入者サービスエッジ３０１と接続する。従って、図２に示す中継システム２００の３つの下流側中継ルータ２３１、２３２および２３３のうち、少なくとも一つが稼働していれば、親ルータ１９０から加入者端末３０２までの通信ルートを確保することができる。
【００３４】
本発明の実施の形態に係る通信制御システム７は、全ての加入者端末３０２について、親ルータ１９０からの通信ルートが確保されることを条件に、各中継装置が設置されるエリアを考慮して、稼働する中継装置を決定する。これにより、エリア単位で各装置の電源をオンオフできるので、各エリアの維持に必要な、空調装置２４１などの設備装置の電源もオンオフできる。これにより、単に中継装置の省電力効果のみならず、空調装置まで考慮した省電力効果を得ることができる。
【００３５】
本発明の実施の形態においては、電源をオンオフする単位は、エリアでなくとも良く、中継装置でも良い。例えば、図２に示すように、第３のエリアの中継装置を全て稼働させるとともに、第２のエリア２０２において、呼接続装置２１６と空調装置２４２のみを稼働させても良い。この場合でも、第２のエリア２０２の呼接続装置２１６と空調装置２４２以外の装置の電源をオフすることができるので、必要なトラフィック量に対応可能で、かつ、省エネルギーを達成することができる。
【００３６】
図３ないし図５を参照して、時間帯によって稼働する中継装置の違いを説明する。図３ないし図５において、稼働していない中継装置には、ハッチングを施して表示する。
【００３７】
図３は、トラフィック量が最も多い時間帯における中継システム２００の各中継装置の稼働状態を示す。ここで、トラフィック量が最も多い時間帯は、例えば、平日の昼間である。この時間帯において、中継システム２００の全ての中継装置が稼働する。
【００３８】
図４は、トラフィック量が中程度の時間帯における中継システム２００の各中継装置の稼働状態を示す。ここで、トラフィック量が中程度の時間帯は、例えば、休日の昼間である。この時間帯は、中継システム２００の一部の中継装置が稼働を中止する。
【００３９】
図５は、トラフィック量が少ない時間帯における中継システム２００の各中継装置の稼働状態を示す。ここで、トラフィック量が少ない時間帯は、例えば、夜間である。この時間帯は、図３に示す例よりも大きい数の中継装置が稼働を中止する。
【００４０】
（通信制御システム）
図１に示すように、通信制御システム７は、接続ルート設定装置１、負荷分散装置３および電源制御装置５を備える。接続ルート設定装置１は、複数の種別の中継装置を介して、加入者端末への呼の接続ルートを設定する。電源制御装置５は、中継装置の電源のオンおよびオフを制御する。負荷分散装置３は、呼を処理する中継装置を決定する。
【００４１】
接続ルート設定装置１は、記憶装置１０および中央処理制御装置２０などを備える一般的なコンピュータである。このような一般的なコンピュータに、所定の機能を実現させるためのプログラムをインストールすることによって、接続ルート設定装置１は、図１に示す各手段として機能する。
【００４２】
負荷分散装置３および電源制御装置５も同様に、一般的なコンピュータである。一般的なコンピュータに、所定の機能を実現させるためのプログラムをインストールすることによって、負荷分散装置３および電源制御装置５は、図１に示す各手段として機能する。
【００４３】
（通信制御方法）
図６を参照して、本発明の実施の形態に係る通信制御方法を説明する。
【００４４】
まず、所定のタイミングで接続ルート設定装置１は、トラフィック量の予想に基づいて、中継システム２００における単位時間ごとの加入者端末３０２への接続ルートを決定し、接続ルートスケジュールデータ１２を生成する。このとき接続ルート設定装置１は、時間単位ごと、かつ中継装置の種別ごとに稼働すべき中継装置の数を算出する。さらに接続ルート設定装置１は、単位時間ごとに、算出した中継装置の種別ごとの中継装置の数で、全ての加入者端末にデータを転送可能で、かつ、最も消費電力の少ない接続ルートを算出して、接続ルートスケジュールデータを生成する。さらに接続ルート設定装置１は、接続ルートスケジュールデータ１２に対応する稼働装置スケジュールデータ１３を生成する。稼働装置スケジュールデータ１３は、時間単位ごとに、稼働する中継装置の情報であって、例えば、各中継装置について、稼働する時間帯を対応づけたデータである。
【００４５】
ステップＳ２において接続ルート設定装置１は、稼働装置スケジュールデータ１３を電源制御装置５に送信する。電源制御装置５は、接続ルート設定装置１から送信された稼働装置スケジュールデータ１３に従って、中継システム２００の各中継装置の電源のオンオフを制御する。
【００４６】
ステップＳ３において接続ルート設定装置１は、稼働装置スケジュールデータ１３および接続ルートスケジュールデータ１２を負荷分散装置３に送信する。負荷分散装置３は、接続ルート設定装置１から送信された稼働装置スケジュールデータ３２および接続ルートスケジュールデータ３１に従って、中継システム２００の各中継装置に、トラフィックを割り当てるように制御する。また、負荷分散装置３は、稼働を開始する中継装置や稼働を停止する中継装置がある場合、中継装置の稼働や停止に係るトラフィックの処理を制御する。
【００４７】
まず、ステップＳ４ないしステップＳ１２を参照して、所定の中継装置が稼働を停止する際の処理を説明する。
【００４８】
例えば、ステップＳ４において、第１のエリア２０１の中継装置の電源をオフするタイミングが到来したとする。ここで、この第１のエリア２０１の中継装置の呼の転送先は、第３のエリア２０３の中継装置とする。なお、第２のエリア２０２の中継装置は、ステップＳ４のタイミングが到来したとしても、引き続き稼働する。
【００４９】
この場合、ステップＳ５において負荷分散装置３は、まず、第１のエリア２０１の中継装置に、新たな呼を割り当てず、第２のエリア２０２または第３のエリア２０３の中継装置に新たな呼を割り当てる。次に、ステップＳ６において負荷分散装置３は、第１のエリア２０１の中継装置に、第１のエリア２０１で処理されている既存の呼を、第３のエリア２０３の中継装置に転送する指示を送信する。その後、第１のエリア２０１の中継装置は、第３のエリア２０３の中継装置に呼を張り替え、呼の張り替えが完了すると、ステップＳ７において第３のエリア２０３の中継装置は、その旨を、負荷分散装置３に通知する。
【００５０】
第１のエリア２０１の中継装置および第３のエリア２０３の中継装置間で呼の張り替えが完了すると、ステップＳ８において負荷分散装置３は、中継システム２００のルーティングテーブルを書き換える。具体的には負荷分散装置３は、第２のエリア２０２の中継装置および第３のエリア２０３の中継装置に、ルーティングテーブルを書き換える指示を送信する。負荷分散装置３は、予め定められた接続ルートスケジュールデータ３１に従って、稼働を中止する中継装置を迂回しつつ、全ての加入者端末３０２が接続可能なネットワークを維持するように、ルーティングテーブルの書き換えを指示する。例えば、ある中継装置が稼働を中止する場合、その中継装置に流す上位の中継装置が、ルーティングテーブルを書き換え、稼働を中止する中継装置にデータを送信できないようにする。このように稼働を中止する中継装置の上流側または下流側の隣接する中継装置のルーティングテーブルを書き換えることにより、稼働を中止する中継装置にデータが送信されなくなる。これにより、稼働を中止する中継装置の電源をオフする準備が整う。
【００５１】
このように稼働を中止する中継装置の電源をオフする準備が整うと、ステップＳ９において、各中継装置は、その旨を負荷分散装置３に送信する。
【００５２】
中継システム２００における中継装置の稼働を中止する中継装置の電源をオフする準備が整うと、ステップＳ１０において負荷分散装置３は、電源オフの準備が完了したことを、接続ルート設定装置１に入力する。ステップＳ１１において接続ルート設定装置１は、電源オフの準備が完了したことを、電源制御装置５に入力する。
【００５３】
電源制御装置５は、電源オフの準備が完了したことを接続ルート設定装置１から通知されるとステップＳ１２において、予め定められた手順に従って、稼働を中止する中継装置の電源をオフする。このとき、電源制御装置５は、第１のエリア２０１の中継装置の全ての中継装置の電源をオフする場合、この第１のエリア２０１の空調装置２４１などの設備装置の電源もオフする。
【００５４】
このように、電源をオフする中継装置がある場合、その中継装置が処理する呼がなく、この中継装置にデータが送信されない状態で、中継装置の電源をオフする。
【００５５】
次に、ステップＳ１３ないしステップＳ１７を参照して、所定の中継装置が稼働を開始する際の処理を説明する。
【００５６】
例えば、ステップＳ１３において、第１のエリア２０１の中継装置の電源をオンするタイミングが到来したとする。この場合、電源制御装置５は、ステップＳ２で送信された稼働装置スケジュールデータ５１により、電源をオンする中継装置を認識する。ステップＳ１４において電源制御装置５は、予め定められた手順に従って、稼働を開始する中継装置の電源をオンにする。この後、中継装置に電源が投入されたことが、負荷分散装置３に通知される。
【００５７】
中継装置の電源がオンされたことが通知されると、ステップＳ１５において負荷分散装置３は、中継システム２００のルーティングテーブルを書き換える。具体的には負荷分散装置３は、この新たに稼働を開始した中継装置を利用してデータを中継するために、第１のエリア２０１、第２のエリア２０２および第３のエリアの各中継装置にルーティングテーブルを書き換える指示を送信する。このルーティングテーブルの書き換えにより、新たに稼働を開始した第１のエリア２０１の中継装置に、データが流れる。
【００５８】
ルーティングテーブルの書き換えが完了すると、ステップＳ１６において各中継装置は、その旨を負荷分散装置３に、その旨を送信する。ステップＳ１７において負荷分散装置３は、新たに稼働を開始した第１のエリア２０１の中継装置に、呼の割り当てを開始する。
【００５９】
このように、本発明の実施の形態に係る通信制御システム７において、接続ルート設定装置１と、電源制御装置５と、負荷分散装置３とが連携して、中継装置の電源のオンオフと、これに伴う接続ルートを制御する。
【００６０】
なお、図６に示す処理の順序は、一例であって、これに限られるものではない。例えば、ステップＳ６およびステップＳ７と、ステップＳ８およびステップＳ９の処理について、順序が入れ替わっても良いし、並列に処理しても良い。同様に、ステップＳ１５およびステップＳ１６と、ステップＳ１７の処理も、順序が入れ替わっても良いし、並列に処理しても良い。
【００６１】
次に、図１を参照して、通信制御システム７を構成する各装置を詳述する。
【００６２】
（接続ルート設定装置）
まず接続ルート設定装置１を説明する。接続ルート設定装置１は、中継システム２００におけるトラフィック量から、稼働する中継装置をスケジューリングし、負荷分散装置３および電源制御装置５にスケジュールを入力する。
【００６３】
図１に示すように、接続ルート設定装置１の記憶装置１０は、トラフィックデータ１１、接続ルートスケジュールデータ１２、稼働装置スケジュールデータ１３および制御実績データ１４を記憶する。中央処理制御装置２０は、接続スケジュール算出手段２１、スケジュール出力手段２２および制御実績データ転送手段２３を備える。
【００６４】
トラフィックデータ１１は、各中継装置が処理するべきトラフィックの予想のデータである。トラフィックデータ１１は、所定の時間単位と、中継装置の種別と、中継装置の識別子と、当該時間単位における当該中継装置におけるトラフィック予想情報とを対応づけたデータである。トラフィックデータ１１は、過去のトラフィックに基づいて、予め生成される。
【００６５】
トラフィックデータ１１は、例えば、図７に示すように、時間情報、装置情報およびトラフィック予想情報を対応づける。装置情報は、中継装置の種別と、中継装置の識別子の情報を含む。トラフィック予想情報は、時間情報で特定される将来の時間帯の、装置情報で特定される装置における、トラフィックによる負荷の予想値のデータである。トラフィック情報は、ＣＰＵ使用率、メモリ使用率、帯域使用量、処理したセッション数およびパケットロスなどの数値である。
【００６６】
このトラフィックデータ１１は、過去のトラフィックデータ、直近のトラフィックデータ、予定されるイベントデータ、サービスオーダの情報などから、予め生成される。トラフィックデータ１１の生成方法は、様々な方法が考えられる。
【００６７】
接続ルートスケジュールデータ１２は、時間単位ごとの、加入者端末３０２への接続ルートを示すデータである。接続ルートスケジュールデータ１２は、各時間について、その時間に稼働する中継装置のルーティングテーブルの設定情報に関する情報を含めば、どのような形式でも良い。
【００６８】
稼働装置スケジュールデータ１３は、時間単位ごとに、稼働する中継装置の識別子を含むデータである。稼働装置スケジュールデータ１３は、各中継装置が稼働を開始するタイミングおよび稼働を中止するタイミングがわかれば、どのような形式でも良い。
【００６９】
稼働装置スケジュールデータ１３は、例えば図８に示すデータである。図８に示すように稼働装置スケジュールデータ１３は、中継システム２００の各中継装置の識別子と、月・日・時間の単位時間ごとに、各中継装置の電源のオンまたはオフを対応づけている。例えば、装置種別「加入者セッション制御サーバ」の装置識別子「ＳＳＣ００１」は、１１月１７日は２４時間稼働することを示す。また、装置種別「加入者セッション制御サーバ」の装置識別子「ＳＳＣ００２」は、１１月１７日は、８時から１９時まで稼働し、それ以外の時間帯は、稼働しないことを示す。
【００７０】
制御実績データ１４は、負荷分散装置３の制御状態や、電源制御装置５の制御状態のデータである。制御実績データ１４は、図６のステップＳ１０およびＳ１１に示すように、負荷分散装置３と電源制御装置５とが連携して処理する際に、接続ルート設定装置１を介して送受信するデータである。制御実績データ１４は、例えば、電源をオフする中継装置から他の中継装置への呼の張り替えと、ルーティングテーブルの書き換えが完了し、中継装置の電源をオフする準備が整ったことを示すデータである。この制御実績データ１４が、電源制御装置５に送信されると、電源制御装置５は、中継装置の電源をオフにする。
【００７１】
接続スケジュール算出手段２１は、トラフィックデータ１１から、接続ルートスケジュールデータ１２および稼働装置スケジュールデータ１３を出力する。具体的には接続スケジュール算出手段２１は、記憶装置１０からトラフィックデータ１１を読み出し、中継装置の種別ごと、かつ時間単位ごとに、処理するべきトラフィック量を算出する。接続スケジュール算出手段２１は、算出したトラフィック量から、中継装置の種別ごとに稼働すべき中継装置の数を算出する。
【００７２】
さらに接続スケジュール算出手段２１は、時間単位ごとに、接続ルートを算出する。この接続ルートは、中継装置の種別ごとに稼働すべき中継装置の数で、全ての加入者端末にデータを転送可能な接続ルートであって、かつ、消費電力が最小となる接続ルートである。消費電力は、稼働すべき中継装置の消費電力とその中継装置が設けられたエリアの運用に必要な設備装置の消費電力の和である。
【００７３】
接続スケジュール算出手段２１は、時間単位ごとに、稼働する中継装置の情報である稼働装置スケジュールデータ１３と、時間単位ごとの呼の接続ルートの情報である接続ルートスケジュールデータ１２を出力し、記憶装置１０に記憶する。
【００７４】
接続スケジュール算出手段２１は、任意のタイミングで、接続スケジュールを算出する。接続スケジュール算出手段２１は、オペレータの操作をトリガーとして算出処理を開始しても良いし、トラフィックデータ１１が更新されるタイミングで算出処理を開始しても良い。
【００７５】
図８ないし図１０を参照して、接続スケジュール算出手段２１の処理を詳述する。接続スケジュール算出手段２１は、トラフィックデータ１１を参照して、装置種別ごとに、処理するべきトラフィック量を算出する。ここでは、図９（ａ）に示す例は、１時間単位で、装置種別ごとのトラフィック量を示す。トラフィック量は、処理したセッション数およびこの処理に使用した帯域使用量である。
【００７６】
接続スケジュール算出手段２１は、図９（ａ）に示すデータから、図９（ｂ）に示すように、時間単位で装置種別ごとに必要な装置数を算出する。図９（ｂ）に示す例では、２０１２年１１月１７日１４時は、加入者セッション制御サーバは３台、中継セッション制御サーバは２台、上流側中継ルータは４台が必要なことを示す。
【００７７】
このとき、接続スケジュール算出手段２１は、図１０に示すデータを参照する。図１０（ａ）は、１セッションを処理する際、装置種別ごとに必要なリソースの使用量を示す。接続スケジュール算出手段２１は、予想されるトラフィック量を、図１０（ａ）に示すリソースの使用量で除算することにより、図１０（ｂ）に示すように、トラフィック量ごとに、必要となる各装置種別の台数がわかる。図１０（ｂ）に示す例は、セッション数が５０〜１００の場合、加入者セッション制御サーバは２台、中継セッション制御サーバは４台必要となることを示す。図１０（ｂ）に示すテーブルに基づいて、接続スケジュール算出手段２１は、図９（ａ）に示した単位時間ごとのトラフィック量から、装置種別ごとに必要な装置数を算出し、図９（ｂ）に示すデータを出力することができる。
【００７８】
接続スケジュール算出手段２１は、単位時間ごとに必要な装置種別ごとの装置数を算出すると、その必要な装置数を満たし、全ての加入者端末３０２への接続ルートを確保することができ、かつ消費電力が最小となる装置の組み合わせを算出する。
【００７９】
ここで、接続スケジュール算出手段２１は、空調装置などの各装置を稼働する際に必要な設備装置の消費電力も考慮して、消費電力が最小となる組み合わせを算出する。例えば接続スケジュール算出手段２１は、まず、第１のエリア２０１の中継装置を全て稼働させる組み合わせを生成する。この組み合わせで、必要となる装置数に満たない場合に、接続スケジュール算出手段２１は、第２のエリア２０２の中継装置を稼働させる組み合わせを生成する。このように、接続スケジュール算出手段２１は、エリアが同一の中継装置を多く稼働させることにより、消費電力を最小とする組み合わせを算出することができる。
【００８０】
また接続スケジュール算出手段２１は、各中継装置の故障や工事の予定を考慮して、稼働する中継装置を決定しても良い。この場合、接続スケジュール算出手段２１は、故障や工事の予定を考慮して、各時間帯において稼働可能な中継処理の識別子を保有する。接続スケジュール算出手段２１は、稼働可能な中継装置から、稼働するべき中継装置を決定する。
【００８１】
この結果、接続スケジュール算出手段２１は、図１１に示すようなデータを出力する。図１１に示すデータでは、稼働する装置の装置識別子と、この装置の種別およびこの装置を設置するエリアの識別子を対応づける。さらに図１１に示すデータは、各装置ごとの発熱量および使用電力を対応づける。
【００８２】
このような処理により、接続スケジュール算出手段２１は、各時間帯に稼働させる中継装置を特定し、稼働装置スケジュールデータ１３を生成する。また接続スケジュール算出手段２１は、各時間帯に稼働させる中継装置により、全ての加入者端末３０２にデータ転送が可能な接続ルートの算出結果を、接続ルートスケジュールデータ１２として出力する。
【００８３】
スケジュール出力手段２２は、接続スケジュール算出手段２１が算出したスケジュールを、負荷分散装置３および電源制御装置５に送信する。具体的にはスケジュール出力手段２２は、稼働装置スケジュールデータ１３を、電源制御装置５に出力するとともに、稼働装置スケジュールデータ１３および接続ルートスケジュールデータ１２を、負荷分散装置３に出力する。スケジュール出力手段２２は、例えば、接続スケジュール算出手段２１が、接続スケジュールを算出するタイミングで、接続ルートスケジュールデータ１２および稼働装置スケジュールデータ１３を送信する。
【００８４】
制御実績データ転送手段２３は、制御実績データ１４を、負荷分散装置３および電源制御装置５間で転送する。制御実績データ転送手段２３は、制御実績データ１４を転送することにより、負荷分散装置３および電源制御装置５との間で処理の同期をとる。
【００８５】
例えば、電源をオフする中継装置で処理するトラフィックがなくなり、負荷分散装置３によるルーティングテーブルの書き換えが完了した後に、電源制御装置５が中継装置の電源をオフをする場合がある。この場合、負荷分散装置３は、負荷分散装置３における制御が完了したことを示す制御実績データを接続ルート設定装置１に送信する。接続ルート設定装置１が、負荷分散装置３から受信した制御実績データを、電源制御装置５に送信すると、電源制御装置５は、中継装置の電源をオフする。
【００８６】
また、電源制御装置５が中継装置の電源をオンした後に、負荷分散装置３がこの中継装置にルーティングテーブルの書き換えをする場合がある。この場合、電源制御装置５が中継装置の電源をオンしたことを示す制御実績データを接続ルート設定装置１に送信する。接続ルート設定装置１が、電源制御装置５から受信した制御実績データを、負荷分散装置３に送信すると、負荷分散装置が、ルーティングテーブルを書き換える。
【００８７】
（電源制御装置）
次に電源制御装置５を説明する。電源制御装置５は、接続ルート設定装置１が出力する稼働装置スケジュールデータ１３に従って、中継システム２００の中継装置の電力供給をオンまたはオフする。
【００８８】
図１に示すように、電源制御装置５の記憶装置５０は、稼働装置スケジュールデータ５１、手順データ５２および制御実績データ５３を記憶する。中央処理制御装置６０は、稼働装置スケジュール取得手段６１、電源制御手段６２および電源制御実績データ出力手段６３を備える。
【００８９】
手順データ５２は、電源をオンまたはオフする際の手順のデータである。手順データ５２は、電源制御装置５が各中継装置に電源を正常にオンまたはオフする指示を送受信するための手順を記憶する。
【００９０】
例えば、中継装置の電源をオフするのにさきがけて、前処理が必要であれば、その前処理を手順データ５２に記憶する。電源制御装置５は、この前処理を実行した後、中継装置の電源をオフする。具体的には、中継装置の電源をオフする際、Ａプロセスを停止した後、Ｂプロセスを停止して、中継装置の電源をオフしなければ、次回の起動時に不具合が生じる場合がある。この場合、手順データ５２は、この中継装置の電源オフの際に、Ａプロセスを停止した後、Ｂプロセスを停止して、中継装置の電源をオフする手順を記憶する。
【００９１】
また、手順データ５２は、電源制御装置５から中継装置までの接続ルートを考慮したデータであっても良い。例えば図１２に示すように、電源制御装置５から、Ａビルの中継装置およびＢビルの中継装置を介してＣビルの中継装置を接続する場合がある。ここで、Ａビル、ＢビルおよびＣビルの全ての中継装置の電源をオフする場合、Ａビルの中継装置の電源をオフした後に、Ｃビルの中継装置の電源をオフしようとしても、Ａビルの電源をオフした時点で、電源制御装置５は、Ｃビルと通信できない。そこで、手順データ５２に、Ｃビル、Ｂビル、Ａビルの順で電源をオフする手順を記憶する。逆に電源をオンする場合、手順データ５２に、Ａビル、Ｂビル、Ｃビルの順で、電源をオンする手順を記憶する。
【００９２】
さらに、手順データ５２は、中継装置以外の設備装置の電源オフの手順も含む。手順データ５２は例えば、所定のエリアの全ての中継装置の電源をオフした後に、そのエリアの設備装置の電源をオフする手順を含む。また、手順データ５２は、所定のエリアの中継装置および設備装置の電源がオフされている状態で、任意の中継装置の電源をオフする際、このエリアの設備装置の電源をオンしてから、中継装置の電源をオンする手順を含む。
【００９３】
稼働装置スケジュール取得手段６１は、接続ルート設定装置１から稼働装置スケジュールデータ５１を受信すると、記憶装置５０に記憶する。
【００９４】
電源制御手段６２は、稼働装置スケジュールデータ５１に従って、中継システム２００の中継装置および空調装置などの設備装置の電源のオンオフを制御する。このとき電源制御手段６２は、手順データ５２に記憶される手順に従って、電源のオンオフを制御する。
【００９５】
電源制御実績データ出力手段６３は、負荷分散装置３と同期する必要のあるタイミングで、電源のオンオフの制御実績データ５３を接続ルート設定装置１に送信する。具体的には、電源制御装置５が中継装置の電源をオンした後に、負荷分散装置３がこの中継装置にルーティングテーブルの書き換えをする場合がある。この場合、電源制御実績データ出力手段６３は、中継装置の電源をオンしたことを示す制御実績データ５３を接続ルート設定装置１に送信する。
【００９６】
（負荷分散装置）
負荷分散装置３を説明する。負荷分散装置３は、中継システム２００における全てのサービスオーダのデータを保持し、中継システム２００の中継装置に呼を割り当てる。さらに負荷分散装置３は、接続ルート設定装置１が予め定めたスケジュールに伴って、トラフィックを片寄せし、稼働中の中継装置によってデータが送受信されるように、中継装置のルーティングテーブルを書き換える指示を送信する。
【００９７】
図１に示すように、負荷分散装置３の記憶装置３０は、接続ルートスケジュールデータ３１、稼働装置スケジュールデータ３２および制御実績データ３３を記憶する。中央処理制御装置４０は、スケジュール取得手段４１、ルーティングテーブル変更手段４２、負荷制御手段４３および負荷制御実績データ出力手段４４を備える。
【００９８】
スケジュール取得手段４１は、接続ルート設定装置１から接続ルートスケジュールデータ３１および稼働装置スケジュールデータ３２を受信すると、記憶装置３０に記憶する。
【００９９】
ルーティングテーブル変更手段４２は、接続ルートスケジュールデータ３１に従って、中継装置のルーティングテーブルを更新するため、中継システム２００の各中継装置に、ルーティングテーブルの書き換えを指示する。
【０１００】
負荷制御手段４３は、新しい呼が発生すると、この呼を処理する中継装置を割り当て、呼を処理させる。さらに負荷制御手段４３は、中継装置の電源のオンオフに伴って、呼が正常に維持できるように呼を処理する。
【０１０１】
具体的には負荷制御手段４３は、接続ルートの数を縮小する過程において、トラフィックの片寄せを行い、呼を張り替える。負荷制御手段４３は、稼働する中継装置が切り替わるタイミングで、電源をオフする中継装置のトラフィックを、継続して稼働する中継装置に片寄せする。負荷制御手段４３は、電源をオフする中継装置に新たな呼を割り当てず、当該電源をオフする中継装置で通信中の呼を、継続して稼働する中継装置に転送する命令を、電源をオフする中継装置に出力する。
【０１０２】
呼の張り替えの処理は、通常、アクト系とスタンバイ系の冗長構成を持つシステムにおいて用いられる方法と同様である。このように、呼を張り替えることによって、サービスを継続したまま、円滑に稼働する中継装置の数を変更し、接続ルートを変更することができる。
【０１０３】
負荷制御実績データ出力手段４４は、電源制御装置５と同期する必要のあるタイミングで、負荷分散の制御実績データ３３を接続ルート設定装置１に送信する。電源をオフする中継装置で処理するトラフィックがなくなり、負荷分散装置３によるルーティングテーブルの書き換えが完了した後に、電源制御装置５が中継装置の電源をオフをする場合がある。この場合、負荷分散装置３は、負荷分散装置３における制御が完了したことを示す制御実績データ３３を接続ルート設定装置１に送信する。
【０１０４】
このように本発明の実施の形態に係る通信制御システム７は、トラフィックの変動に応じて、稼働する中継装置の数を変更することができる。一般的には、トラフィックが増えるに従って、稼働する中継装置の数が増えるので、消費電力も上昇する。本発明の実施の形態においては特に、空調装置などの設備装置に係る消費電力も考慮して、稼働する設備装置の数を減らすように接続ルートを算出し、稼働する中継装置を特定する。これにより、通信制御システム７は、トラフィックを安定して処理するとともに、中継システム２００の消費電力を低減することができる。
【０１０５】
（変形例）
図１２に示すように、各エリアに遠隔電源制御装置２０５を設置しても良い。遠隔電源制御装置５を用いない場合、各中継装置は、電源制御装置５からの電源オンの指示を受けるために、待機する必要がある。これにより、各中継装置は、電源オフの場合でも、待機電力が生じる。
【０１０６】
一方、図１２に示すように、遠隔電源制御装置２０５がある場合、遠隔電源制御装置２０５は、各中継装置の電源供給ケーブルと、この電源供給ケーブルによる電力供給を遮断または接続するスイッチを有する。中継装置や空調装置の電源をオンオフするタイミングで、遠隔電源制御装置２０５は、スイッチにより電源供給ケーブルによる電力供給を遮断または接続する。これにより遠隔電源制御装置２０５は、各中継装置および空調装置の電源のオンオフを、物理的に制御することができる。
【０１０７】
例えば、電源制御装置５は、遠隔電源制御装置２０５に、中継装置と設備装置の電源オフの指示を入力する。遠隔電源制御装置２０５は、電源制御装置５から中継装置の電源のオフの指示を受けると、その中継装置および設備装置に対応するスイッチを操作して電源供給のケーブルによる電力供給を遮断する。これにより遠隔電源制御装置２０５は、中継装置および設備装置の電源をオフすることができる。
【０１０８】
遠隔電源制御装置２０５は、電源制御装置５からの指示を受けるため、常に通電される必要がある。しかしながら、遠隔電源制御装置２０５を用いることにより、各中継装置および空調装置の待機電力は不要となる。これにより、中継システム２００全体の消費電力を低減することができる。
【０１０９】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【０１１０】
例えば、本発明の実施の形態に記載した接続ルート設定装置１、負荷分散装置３および電源制御装置５は、図１に示すように、それぞれ個別のハードウエアに構成されても良いし、一つのハードウエアに構成されても良い。また既存のサーバ等に実現されても良い。
【０１１１】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１１２】
１  接続ルート設定装置
３  負荷分散装置
５  電源制御装置
７  通信制御システム
１０、３０、５０  記憶装置
１１  トラフィックデータ
１２、３１  接続ルートスケジュールデータ
１３、３２、５１  稼働装置スケジュールデータ
１４、３３、５３  制御実績データ
２０、４０、６０  中央処理制御装置
２１  接続スケジュール算出手段
２２  スケジュール出力手段
２３  制御実績データ転送手段
４１  スケジュール取得手段
４２  ルーティングテーブル変更手段
４３  負荷制御手段
４４  負荷制御実績データ出力手段
５２  手順データ
６１  稼働装置スケジュール取得手段
６２  電源制御手段
６３  電源制御実績データ出力手段
１９０  親ルータ
２００  中継システム
２０１  第１のエリア
２０２  第２のエリア
２０３  第３のエリア
２１１  呼接続装置
２２１  上流側中継ルータ
２３１  下流側中継ルータ
２４１  空調装置
３０１  加入者サービスエッジ
３０２  加入者端末
２０５  遠隔電源制御装置
【図１】
0005681123.tif 000002
【図２】
0005681123.tif 000003
【図３】
0005681123.tif 000004
【図４】
0005681123.tif 000005
【図５】
0005681123.tif 000006
【図６】
0005681123.tif 000007
【図７】
0005681123.tif 000008
【図８】
0005681123.tif 000009
【図９】
0005681123.tif 000010
【図１０】
0005681123.tif 000011
【図１１】
0005681123.tif 000012
【図１２】
0005681123.tif 000013